(57)【要約】【課題】  特にリバーシブルマットレスのように、必要に応じて裏返して使用するマットレスのカバーに好適な非透水性のマットレスカバーを提供する。【解決手段】  マットレス２を覆う際、マットレス２の側面に対応する部分にスライドファスナ３が設けられる非透水性のマットレスカバー１において、スライドファスナ３の外面を、スライドファスナ３近傍のカバー本体４から延出する非透水性のフラップ５で覆い、このフラップ５の外面を、フラップ５の取付部５ｔとは反対側のカバー本体４から延出する非透水性のソデ６で覆うことにより、マットレス２の表側のＡ面を使用するときは、スライドファスナ３から体液等が浸透するのをフラップ５によって防止し、マットレス２の裏側のＢ面を使用するときは、スライドファスナ３から体液等が浸透するのをソデ６により防止する。【選択図】      図３
2005224344.tif 000002
【特許請求の範囲】
【請求項１】
必要に応じて裏返して使用するリバーシブルマットレスに用いられる非透水性のマットレスカバーであって、前記マットレスの側面に対応する部分にはスライドファスナが設けられ、このスライドファスナの外面は、スライドファスナ片側近傍のカバー本体から延出する非透水性のフラップによって覆われており、更に、スライドファスナを挟んでフラップの延出部とは反対側のカバー本体からは、非透水性のソデが延出しており、ソデの延出部側を上面にし、フラップの延出部側を下面にしてマットレスを使用する場合には、前記フラップをソデが覆い隠すことを特徴とするマットレスカバー。
【請求項２】
前記ソデは、マットレスの側面と、上面または下面との境界線に対応する線上から延出していることを特徴とする請求項１に記載のマットレスカバー。
【発明の詳細な説明】
【技術分野】
【０００１】
本発明は、例えば必要に応じて裏返して使用するリバーシブルマットレスに好適なマットレスカバーに関する。
【背景技術】
【０００２】
従来、マットレスの周囲に装着されるマットレスカバーは、図４（ａ）に示すように、側面に開閉用のスライドファスナが設けられているのが一般的である。
一方、マットレスの種類によっては、例えば表面側と裏面側の硬さや通気性を異ならせて、必要に応じてマットレスを裏返して使用するようないわゆるリバーシブルマットレスも知られている。（例えば、特許文献１参照。）
【０００３】
【特許文献１】特開２００３−１４４２７３号公報
【発明の開示】
【発明が解決しようとする課題】
【０００４】
ところで、例えば介護用のベッドに使用されるマットレスをリバーシブルタイプとして構成し、しかも、マットレスカバーの素材として、体液や排泄物や薬剤等の透過を阻止する非透水性素材にする場合、マットレスカバーを図４（ａ）のタイプにすると、マットレス５０の表側のＡ面を上向きにする（ａ）の状態では、スライドファスナ５１の前面部分が上方から垂下するフラップ５２に覆われてスライドファスナ５１を通して体液等がマットレス内部に浸透する恐れはないものの、（ｂ）に示すように、マットレス５０を裏返して裏側のＢ面を使用するときは、体液等がフラップ５２の内側に溜まり、スライドファスナ５１を通してマットレス内部に浸透するという問題がある。
【０００５】
そこで本発明は、特にリバーシブルマットレスのように、必要に応じて裏返して使用するマットレスのカバーの非透水性を図るのに好適なマットレスカバーを提供することを目的とする。
【課題を解決するための手段】
【０００６】
上記目的を達成するため本発明は、必要に応じて裏返して使用するリバーシブルマットレスに用いられる非透水性のマットレスカバーにおいて、マットレスの側面に対応する部分にスライドファスナを設け、このスライドファスナの外面を、スライドファスナ片側近傍のカバー本体から延出する非透水性のフラップによって覆うようにし、更に、スライドファスナを挟んでフラップの延出部とは反対側のカバー本体から、非透水性のソデを延出させ、ソデの延出部側を上面にし、フラップの延出部側を下面にしてマットレスを使用する場合には、前記フラップをソデが覆い隠すようにした。
【０００７】
そして、例えば、マットレスの通常の面を上に向けて使用するときは、スライドファスナの外側をフラップが下方に垂下する姿勢で覆うようにすれば、体液等はフラップの外面に沿って下方に落ちるようになり、スライドファスナを通してマットレス内部に浸透することはない。また、マットレスを裏返して使用するときは、フラップの外側をソデが下方に垂下する姿勢で覆うようにすれば、体液等はソデの外面に沿って下方に落ちるようになり、この場合も、スライドファスナを通してマットレス内部に浸透する恐れはない。すなわち、どちらの場合も体液等がスライドファスナを通してマットレス内部に浸透する恐れがなくなる。
ここで、非透水性のマットレスカバーとしては、例えば合成皮革や樹脂引布などによって水圧２０，０００ｍｍＨ２Ｏ以上（０．２Ｍｐａ以上）でも水が透過せず、また、消毒用アルコールや中性洗剤などによる清拭が可能なものが好ましい。
【０００８】
また本発明では、前記ソデを、マットレスの側面と、上面または下面との境界線に対応する線上から延出させるようにした。
このように、ソデを、マットレスの側面と、上面または下面との境界線に対応する線上から延出させれば、例えばマットレスの通常の面を使用するときに、ソデをマットレスの下面に折り込めば体裁を整えることができ、また、マットレスを裏返して使用するときには、側面がすっきりして見た目が良好となる。
【発明の効果】
【０００９】
マットレスの側面に対応する部分にスライドファスナが設けられる非透水性のマットレスカバーにおいて、スライドファスナの外側をフラップとソデのどちらかで覆うようにし、フラップとソデの取付部を、スライドファスナを挟んで反対側にすることで、マットレスの表側を使用するときも裏側を使用するときも、どちらの場合もスライドファスナの外側を防水効果を高めて覆うことができる。
この際、ソデを、マットレスの側面と、上面または下面との境界線に対応する線上から延出させれば、側面がすっきりして見た目を整えることができる。
【発明を実施するための最良の形態】
【００１０】
本発明の実施の形態について添付した図面に基づき説明する。
ここで図１は本マットレスカバーの全体図、図２は同部分図、図３は作用図である。
【００１１】
本発明に係るマットレスカバーは、例えば病院や施設等において、必要に応じて裏返して使用するリバーシブルマットレスなどに好適なマットレスカバーであり、マットレス内部への体液等の浸透を効果的に阻止することができるようにされている。
【００１２】
すなわち、本マットレスカバー１は、図１に示すように、内部のマットレス２に対して装着自在にされ、必要に応じてマットレスカバー１からマットレス２を取外し、マットレス２を洗濯することができるようにされている。そして、このマットレスカバーの開閉部は、マットレス２の側面に対応する部分に設けられており、スライドファスナ３によって開閉自在にされている。
【００１３】
そしてこのスライドファスナ３の近傍には、カバー本体４からスライドファスナ３外面に向けて延出するフラップ５が設けられ、スライドファスナ３の前面を覆うような形態にされるとともに、スライドファスナ３を挟んで、カバー本体４に対するフラップ５の取付部５ｔとは反対側のカバー本体４には、フラップ５の外側を覆うことのできるソデ６が設けられ、このソデ６の延出方向は、フラップ５の延出方向とは逆方向とされている。
ここで、フラップ５やソデ６の素材は、カバー本体４と同一素材のものとしても良く、別素材のものとしても良い。
【００１４】
そして、このソデ６の取付部６ｔは、マットレス２の側面と、上面または下面の境界線に対応する線上である側面コーナ部とされ、本実施例では、マットレス２側面の殆ど全てを覆うことができるような幅と長さにされている。
そして、本実施例におけるカバー本体４やフラップ５やソデ６の素材は、例えば綿やポリエステル等の繊維素材からなる布の表面にウレタン樹脂や塩化ビニルなどの樹脂フィルムをラミネートした樹脂引布や、合成皮革などの非透水性を備えたものを使用するようにし、水圧２０，０００ｍｍＨ２Ｏ以上（０．２Ｍｐａ以上）でも非透水性が発揮され、消毒用アルコールや中性洗剤などでの清拭が可能なものとしている。
また、カバー本体４に縫製部等がある場合は、必要に応じて縫製部に水密処理を施すなどの処置を行っている。
【００１５】
因みに、マットレス２の素材としては、例えば単一層のウレタンフォームや、高硬度と低硬度ウレタンフォームの二層積層品や、表裏面層が同一種類で中間層が異質ウレタンフォームの三層積層品や、その他の積層品などが任意に適用可能であるが、本実施例の場合、三層積層品の例を示している。
【００１６】
また、スライドファスナ３の位置は、図３にも示すように、マットレス２の厚みの中間部を基準にして、ソデ６の取付部６ｔに近い側に配置されている。このため、ソデ６の取付部６ｔが上方になる姿勢にしたときに、フラップ５の外面はソデ６で完全に覆われるようになり、例えば、ソデ６の下端部の一部がまくし上げられた場合でも、フラップ５が外面に露出しにくくなり、体液等がフラップ５の内側に溜まるような不具合を抑制することができる。
【００１７】
以上のようなマットレスカバー１の作用等について説明する。
まず、マットレス２の表側Ａ面を使用するときは、図３（ａ）に示すように、フラップ５がスライドファスナ３の前面に向けて上方から垂下するようにし、ソデ６は任意の位置、例えばマットレスカバー１の下面側に折り込んでおく。
【００１８】
すると、スライドファスナ３前面はフラップ５によって覆われているため、体液等が流れても、フラップ５の前面を伝って流れ落ち、スライドファスナ３を通してマットレス２内部に浸透することはない。
また、ソデ６をマットレスカバー１の下面側に折り込んでおけば、体裁が悪くなるような不具合はない。
【００１９】
次に、マットレス２の裏側Ｂ面を使用するときは、マットレス２を裏返して、図３（ｂ）に示すように、ソデ６がフラップ５の前面に向けて上方から垂下するようにする。
すると、フラップ５の前面はソデ６によって覆われているため、体液等が流れても、ソデ６の前面を伝って流れ落ち、スライドファスナ３を通してマットレス２内部に浸透することはない。また、ソデ６の取付部６ｔが側面コーナ部に位置しているため、マットレス側面の見た目が良好となる。
この際、スライドファスナ３は、マットレス２の厚みの中間部を基準として、ソデ６の取付部６ｔ側に寄った位置にあるため、フラップ５が外部に露出する可能性が少なくなり、非透水効果が高い。
【００２０】
以上のような要領により、表面のみならず裏面も使用できるようなリバーシブルマットレスに本マットレスカバー１を適用すれば、いずれの場合も非透水効果を高めることができるため、マットレスをより衛生的に使用することができる。
【００２１】
なお、本発明は以上のような実施形態に限定されるものではない。本発明の特許請求の範囲に記載した事項と実質的に同一の構成を有し、同一の作用効果を奏するものは本発明の技術的範囲に属する。
例えばマットレス２の素材やカバー本体４の素材等は例示であり、また、マットレス２の表裏とフラップ５やソデ６の延出方向との関係は逆でもよい。
【産業上の利用可能性】
【００２２】
必要に応じて裏返して使用するようなリバーシブルマットレスのカバーとして適用すれば好適であり、マットレス側面に対応する部分のスライドファスナを通してマットレス内部に体液や、排泄物や、薬剤等が浸透して不衛生になるのを効果的に防止出来る。このため、例えば病院や施設等のマットレスカバーに好適である。
【図面の簡単な説明】
【００２３】
【図１】本マットレスカバーの全体図
【図２】同部分図
【図３】作用図
【図４】従来のマットレスカバーの作用図
【符号の説明】
【００２４】
１…マットレスカバー、２…マットレス、３…スライドファスナ、４…カバー本体、５…フラップ、５ｔ…取付部、６…ソデ、６ｔ…取付部。
【図１】
2005224344.tif 000003
【図２】
2005224344.tif 000004
【図３】
2005224344.tif 000005
【図４】
2005224344.tif 000006